(57)【特許請求の範囲】
【請求項１】
接着された背を備える多ページの印刷製品を製造するための方法であって、前記印刷製品は、多層の折り畳まれた端部を有する多ページの製品部分の積み重ねであって、
前記製品部分の積み重ねまたは１つの製品部分の背の領域を前処理し、次に、接着剤をこの背の領域に与えることにより、製造され、
前記方法は、背の領域の唯一の前処理において、背の領域に対し、折り畳まれた端部の少なくとも最も内側の層に届くように配置された、回転ブラシまたは複数の回転ブラシを用いて、折り畳まれ並列する端部または１つの折り畳まれた端部を、すべての製品部分の最も内側の層に届く深さまで引裂くとともに、この引き裂かれた背の領域の繊維をコーミングすることであることを特徴とする、方法。
【請求項２】
前記前処理のために背の領域は、背の領域と工具との相対運動により発生する搬送の方向に工具を通過するように搬送されることを特徴とする、請求項１に記載の方法。
【請求項３】
前記回転ブラシまたは複数の回転ブラシは製品が搬送されるのと同じ方向に作用することを特徴とする、請求項２に記載の方法。
【請求項４】
多層の折り畳まれた端部を有する多ページの製品部分からなる積み重ねを保持するための少なくとも１つの保持手段と、
保持された前記製品部分の背の領域に接着剤を与えるための手段と、
背の領域の前処理のための少なくとも１つの回転ブラシとを含み、
前記前処理のための回転ブラシが、前記多層の折り畳まれた端部を少なくとも最も内側の折り畳まれた端部に届く深さまで引裂いて開くとともに、この引き裂かれた背の領域の繊維をコーミングすることを可能に配置されたことを特徴とする、接着された背を備える多ページの印刷製品を製造するための装置。
【請求項５】
前記回転ブラシは、複数の回転するように駆動されるブラシからなり、少なくとも１つの保持手段により保持される前記製品部分の背の領域にわたり移動可能となるように相対運動においてお互いに移動可能であることを特徴とする、請求項４に記載の装置。
【請求項６】
前記保持手段は搬送手段であり、この搬送手段により前記製品部分は、実質的に静止している前記引裂き工具の有効範囲を通して搬送方向に移動可能であることを特徴とする、請求項４または５に記載の装置。
【請求項７】
前記回転ブラシは、製品が搬送されるのと同じ方向に作用するように駆動手段に接続されることを特徴とする、請求項５または６に記載の装置。
【発明の詳細な説明】
【０００１】
【発明の分野】
本発明は接着された背を備える多ページの印刷製品を製造するための方法および装置に関し、特に、各々が１つまたは複数のページを有する複数の積み重ねられた製品部分から、または１つの多層の折り畳まれた端部を有する１つの多ページの製品部分から、接着された背を備える多ページの印刷製品を製造するための方法および装置に関する。
【０００２】
【発明の背景】
本発明の方法およびこの方法を実施するための装置は、無線綴じに適用できる、すなわち複数の積み重ねられた製品部分を接着剤を用いて１つの積み重ね面で接合し、接着された背を備えた完成品を製造することに適用できる。この場合１つの製品部分は、単一のシートでもよく、１枚のシートが１回または数回折り畳まれたものでもよく、または数枚のシートを１回折り畳んで互いの内側に配置したものでもよい。製品はたとえば紙といった繊維材料からなる。無線綴じによって製造される製品とは、たとえば新聞、小冊子、本、またはそれに類似する製品である。接着された背をさらに背の帯で覆い、完成品の一部としてもよい。
【０００３】
１回折り畳まれた単一のシートまたは製品部分、すなわち２枚のページが折り畳まれた端部で接続されたものを接着剤がつけられた背で結合する限りは、あまり費用はかからない。製品部分の間に接着剤を挿入し、一方ではこれらが十分に繋ぎ合わされるようにし、他方では最小限の妨げは避けることができないが完成品を開くことがそれほど困難にならないようにすればよい。
【０００４】
しかしながら、数回折り畳まれた多層の製品部分、たとえば数回折り畳まれたシート、または複数のシートをそれぞれの内側に配置したものを、接着剤がつけられた背で結合する場合、解決せねばならない問題がさらに発生する。すなわち製品部分の端部または折り畳まれた端部を結合せねばならないという事実に加え、各製品部分の内側部分も接着される背に結合されるように折り畳みの外側の端部を通して折り畳みの内側の端部まで接着剤の作用が及ばなければならないことである。
【０００５】
従来の技術では、多層の製品部分からなる製品の上に接着される背は、多層の製品部分の折り畳まれた端部により形成される背の領域を、折り畳まれた端部すべて（おそらくは最も内側の折り畳まれた端部は含まない）が削り取られる深さまで削り取り、実際に単一のシートの積み重ねを形成し、これを何らかの単一シートの積み重ねと同じ方法で接着することにより、作製される。一般には削り取りと接着との間に背の領域から微粉を除去する。この方法は一般に使用されているが、必要な装置の費用が高く、かつ少なくとも２つの欠点がある。すなわち、第１に、削り屑の形で大量の不要副産物が生まれ吸い取らねばならず、第２に、折り畳まれた端部を削り取ることにより各製品部分の個々のページは折り畳まれた端部により本来与えられていた接続を失い、そのため、少なくとも一部は折り畳まれた端部により接続されているページのために同じように接続する場合よりも接着接続がかなり強くなければならないことである。
【０００６】
この方法についての上記の２つの欠点は、他の既知の方法によって補われ、この方法によれば、背の領域を完全に削るのではなく、背の領域の幅全体にまたがり（完成品の厚みの方向に）通常は背の高さ（接着剤がつけられた背で結合されるべき端部の長さ）にわたって規則性を持って断続的に広がる複数の部分のみを削ることである。このような部分を接着した場合、ステープルまたは縫糸を用い、互いの内側に折り畳んだシートを特定のポイントのみで接続する場合と同じ効果がある。接着された部分の間では、折り畳まれた端部には変化がなく、したがって完成品においても２枚の個々のページの接続は維持され、最終製品の安定性をもたらす。
【０００７】
多層の折り畳まれた端部に穴明けまたは打抜きを施し、その開き部分に接着剤を挿入する方法も同様の製品を生み出す。こうして生まれる接触ポイント（接着綴じ）は、綴じることと同じ効果を有し、製品部分の個々の層を繋ぎ合わせ、この接着により綴じ合わされた製品部分を後続の方法ステップにおいて接着性の背で結合し、または接着綴じのステップに統合することが可能である。接着綴じの方法については、たとえば公報ＥＰ−０６２８４２９、ＥＰ−０６６４２２６、およびＥＰ−０６６２４４０で述べられている。公報ＥＰ−３９０７３４によれば、対応する工具で開きを作成せずに接着剤が層を通して射出されている。
【０００８】
さらに、公報ＥＰ−３９０７３３（またはＵＳ−５３５０２６８）、およびＥＰ−４０９７７０（またはＵＳ−５１９３８５１）は、１回折り畳んだシートを複数集めて、一時的に最も外側にある折り畳みの端部を個々の集めるステップ間で接着剤で処理し、次の集めるステップでその最も外側の端部の上に配置される折り畳み端部が接着され、綴じ合わされた製品部分と同様の製品部分が形成され、１回折り畳まれる単一のシートと同じ方法で接着剤がつけられた背によって結合される方法について述べている。
【０００９】
【発明の概要】
多層の折り畳み端部を備える製品部分を結合するために接着される背を製造する上記の方法すべては、費用が高く特定の製品部分にしか使用できない。したがって、本発明の目的は、接着される背により製品部分を結合するための方法および装置を生み出し、この方法および装置を用いて多層の折り畳まれた端部を備える製品部分をより簡単な態様で結合できるようにすることである。この方法および装置は、高速処理に適するであろう。さらに、できる限り至るところに適用できるであろう、すなわち個々のシートを結合すること、１回折り畳まれた１枚のシートを結合すること（各々が１層の折り畳まれた端部を備える）、または１つの製品部分の個々の層を１つの多層の折り畳まれた端部のみで結合することにも同様に有利に適用できるだろう。すべての適用例において結果として生じる製品は、質の面では従来技術に従い製造される製品と少なくとも同じであり、特に少なくとも同様に開くことができるであろう。
【００１０】
この目的は本明細書の請求項において定められる方法および装置により達成される。
【００１１】
本発明の方法は、接着すべき積み重ねられた製品部分を引裂きまたは荒削り工具（切削工具と対照をなす）を用いて処理し、多層の折り畳まれた端部が少なくとも特定領域で切り開かれるようにすることに基づいている。引裂きまたは荒削りにより端部は接着のための前処理が施されるが、この端部は繊維からなり、繊維は紙の化合物に一部のみが付着し実際の紙の端部の上に突き出している。この繊維は接着される背の接着剤にシートを固定するのみならず、紙の層全体よりも薄く柔軟性のある接着領域を形成するので、完成品はより簡単に開くことができる。
【００１２】
適宜引裂きまたは荒削り工具の選択を行なうことにより、および荒削り工具と処理されるべき端部との間の相対的な動きを適宜調節することにより、接着結合されるべく処理された端部の特性は有利に影響され、前処理された端部の繊維は紙の端部にわたってできる限り完全にかつ規則正しく突出するようになる。
【００１３】
本発明の方法および本発明の装置は、添付の図面と関連付けて以下でより詳細に説明される。
【００１４】
【実施例の説明】
図１は本発明の方法を図示しており、接着される背が製造されつつある製品の連続する相を表わし、この製品は各々が数枚のページを備える複数の製品部分（それぞれの内側に折り畳まれた３枚のシートからなる）からなる。この図はまた、処理中の複数の製品が搬送されて異なる処理工具を通過し、各製品の背の領域が前処理され、接着剤が適用され、背の帯が取付けられて押圧される、連続するプロセスのスナップ写真を図で表現したものと理解することもできる。
【００１５】
適切な保持手段３で支えられる、例として４つの折り畳まれた製品部分の積み重ね１が本発明の方法に適用され、近接する折り畳まれた端部を備える積み重ね製品部分が、処理されて接着された背になる背の領域２を形成する。製品部分の積み重ね１は背領域２の前処理のために搬送されて引裂きまたは荒削り工具４（たとえば回転ブラシ）を通過し、引裂き工具４は自身の効果が折り畳まれた端部の少なくとも最も内側の層に届く深さまで及ぶように配置される。
【００１６】
引裂きまたは荒削り工具の効果により、背領域に配置された端部は、折り畳まれた端部ならば引裂かれ、折り畳まれていない端部ならば切断された端部から引裂かれた端部に変化する。
【００１７】
回転工具は有利には、製品が搬送される方向（Ｆ方向）と同じ方向に働くように駆動される（矢印Ｒ）（下流方向研削）。この回転方向により、引裂かれた端部領域の繊維は端部からコーミングされ、有利な効果がさらに増大する（図２および３ならびに対応する説明も参照されたい）。
【００１８】
背領域から引裂きおよびコーミングにより取除かれた繊維は吸い出され、および／または適切な手段５により工具４から機械的に除去される。
【００１９】
折り畳まれた製品部分の積み重ね１から、背領域２を形成する切り開かれた端部を備える製品部分の積み重ね、たとえば引裂かれた端部を備える個々のシートの積み重ねが、引裂き工具を用いて前処理によって生成される。適切な手段７を用いて、この前処理された背領域２に接着剤８が与えられ、この接着剤で切り開かれた端部は接着される背に結合される。背の帯９を接着剤に適用し適切な押圧手段１０で押圧してもよい（矢印１０）。接着剤８の硬化または乾燥には、熱を適用する必要があるかもしれない。
【００２０】
図１に示す背の帯９の変形としては、背領域にまたがるカバーシートまたは対になったカバーシートである。背の帯で背を被覆することは、完成品の美的価値を高める方法である。もちろん、接着された背が完成品の上で見えるようにこの方法を省くことも可能である。
【００２１】
図１から、本発明の方法は複数の製品部分を結合することだけでなく、１つの多層の製品部分の個々の層を結合することにも適用でき、接着接合が綴じ合わせまたはステープルと同じ効果を有することが明らかにわかる。
【００２２】
本発明の方法は、製品部分の積み重ねの背領域２の前処理を特徴とし、接着される背を形成するためのその他のステップについては周知である。引裂きまたは荒削り工具で前処理した後、さらに前処理ステップを行なう必要はない、すなわち引裂きまたは荒削りの前処理の後直ちに接着剤を付与することができる。本発明による最終製品は、多ページの印刷製品１２である。
【００２３】
図２は、紙のまたは異なる繊維材料のシート２０の引裂かれた端部２１の領域を拡大して示しており、引裂かれた端部２１の領域では、端部にわたって繊維２２が外向きに突き出しており、シート２０の繊維そのものは実質的に不規則である。端部領域から繊維の一部を引裂いて取除き、この領域で残っている繊維を整えることにより、図２に示すように外に向かって細くなる端部領域が形成される。
【００２４】
図３は、複数のシート２０をシートの主表面に垂直な部分で示し、このシート２０は接着された背２３により繋ぎ合わされている。この図から、接着剤８がシート２０の先細りになる端部領域を実質的に繋ぎ合わせていることが明らかにわかる。この先細りのために、切断された端部、すなわち先細りの端部領域ではないものよりも柔軟性があり、結合された製品を開けることが容易になる。接着された背において結合される端部領域の繊維の方向のおかげで（図２参照）、この端部領域の機械的な剛性はそれでもなお実質的には減じられず、切断された端部を接合する場合よりも、接着された背からシートが引離される可能性は少ない。
【００２５】
図４（Ａ）−４（Ｃ）は、本発明の方法に従い製造することができる他の背領域２ａ−２ｃを例示する。背領域２ａ−２ｃの幅はｄで高さはｈであり、製品部分の端部は高さｈに平行である。図４（Ａ）の背領域２ａは、結合された部分４０が結合されない部分４１と交互になったパターンを含む。結合された部分は背領域の全幅にわたりかつ高さの一部にわたり広がっている。この部分では、製品部分の端部は前処理されて接着結合されている。結合されない部分４１では、製品部分の端部は変わらず、すなわち折り畳まれた端部であれば折り畳み部分はこの部分でまだ互いに接続されており、結合された製品の安定性がもたらされる。
【００２６】
図４（Ｂ）の背領域２ｂは、より狭い結合された部分４０を示しているが、原理的には図４（Ａ）の背領域２ａと異なっていない。図４（Ｃ）はまた、背の幅ｄに平行するのではなく斜角になっている狭い結合領域４０を備える背領域２ｃを示す。図４（Ｃ）の接着された背は有利にも柔軟性があり最小限の接着剤で作製することができる。交差する斜めの結合部分を用いた変形もまた可能である。
【００２７】
図５は本発明を実施するための装置の実施例を、最も重要な部分に限って示している。この装置は回転ブラシ５０の形式の引裂き工具を含み、その軸の延長部は製品部分の積み重ね１の背の高さと実質的に同じであるかまたはそれよりも大きく、この製品部分の積み重ね１は対応する搬送手段（図示せず）を用いて搬送方向Ｆに運ばれてこの引裂き工具を通過するものである。ブラシ５０はその軸Ａが、ブラシを通過して搬送されるこれから処理される製品に実質的に平行となるように配置され、かつ与えられた製品１の背領域２とブラシの軸Ａとの間の距離が、実質的に折り畳まれた端部の深さだけブラシの半径より小さくなるように（図１参照）配置される。ブラシ５０の回転方向Ｒは有利にも、製品が搬送される方向（下流方向研削）と同じ方向にブラシが作用するように調節されているが、反対方向の回転での動作もまた可能である（上流方向研削）。有利にはブラシ５０はワイヤブラシである。
【００２８】
図５による表現は、高速の搬送の流れで搬送され、主表面が搬送方向Ｆに垂直である、製品部分の積み重ね１の前処理に関する。主表面および背の高さを搬送方向に平行にして運ばれる製品の前処理に対しては、ブラシは搬送される背の高さに垂直に方向付けられる。いずれの場合でも、回転ブラシの軸は搬送方向に実質的に垂直となるように配置される。
【００２９】
図６は、３つの同軸で配置された回転ブラシ５１を備えた装置の鳥瞰図であり、このブラシを通過して製品部分の積み重ね１の背領域２は搬送され、３つの部分４０において前処理される。
【００３０】
図７はまた、図４（Ｃ）の接着された背を製造するための装置の鳥瞰図である。背領域２ａの引裂き前処理のために、複数の工具７０がたとえばはめ歯ディスクといったディスクの形式で与えられ、軸Ａと同軸ですなわち平行に配置され、搬送方向Ｆは工具の軸Ａに垂直であり、背領域２の高さはディスク７０に対して斜めに方向付けられている。
【００３１】
図５、６および７は非常に単純化された態様で、高速の搬送の流れ（搬送方向Ｆ）で運ばれる製品部分の積み重ね１の前処理に適用可能な装置を示しており、この装置では背２は自身が搬送されて通過する実質的に静止した工具を用いて処理される。上記のように、異なる順序で連続して搬送される製品を、同じ態様で前処理することができる。実質的に静止している製品を移動する工具または装置を用いて処理することも可能であり、この場合工具および製品は並進運動を行ない、製品と工具との間に相対的な運動が生じるものである。
【図面の簡単な説明】
【図１】各々が数枚のページを有する製品部分からなり、接着された背を備える例示の製品を製造する方法について、連続する生産の相を示す図である。
【図２】引裂き工具で処理されるシートの端部の拡大図である。
【図３】本発明の方法に従い製造される接着された背の断面図である。
【図４】（Ａ）−（Ｃ）は本発明に従い製造される３つの異なる接着された背を例示する図である。
【図５】回転ブラシを引裂き工具として用いる、本発明を実施するための本発明の装置の実施例の図である。
【図６】複数の回転ブラシを引裂き工具として用いた、本発明の装置のさらなる実施例の図である。
【図７】歯がつけられた複数のディスクを引裂き工具として用いる、本発明の装置のさらなる実施例の図である。
【符号の説明】
１  積み重ね
２  背領域
４  引裂き工具
【図１】
0004210349.tif 000002
【図２】
0004210349.tif 000003
【図３】
0004210349.tif 000004
【図４】
0004210349.tif 000005
【図５】
0004210349.tif 000006
【図６】
0004210349.tif 000007
【図７】
0004210349.tif 000008